(57)【特許請求の範囲】
【請求項１】
物体側から順に、絞り、両凸形状で正のパワーを有する第1レンズ、物体側に凸面を向けた負のパワーを有するメニスカス形状の第２レンズ、像側へ凸面を向けた正のパワーを有するメニスカス形状の第３レンズ、物体側へ凸面を向けた負のパワーを有するメニスカス形状の第４レンズを配置し、下記条件式を満足することを特徴とする撮像レンズ。
−０．９５＜ｆ１／ｆ２≦−０．６５                （１）
４．００＜ｆ１／ｄ１＜１０．００                  （２）
２．８０＜ｆ３／ｄ５＜５．２０                    （３）
−１０．００＜ｆ４／ｄ７≦−５．９８              （４）
−０．４５＜Ｒ１／Ｒ２＜−０．０５                （５）
２．５０＜Ｒ３／Ｒ４＜１０．００                  （６）
ただし、
ｆ１：第１レンズの焦点距離、
ｆ２：第２レンズの焦点距離、
ｆ３：第３レンズの焦点距離、
ｆ４：第４レンズの焦点距離、
ｄ１：第１レンズの中心厚、
ｄ５：第３レンズの中心厚、
ｄ７：第４レンズの中心厚、
Ｒ１：第１レンズ物体側面の曲率半径
Ｒ２：第１レンズ像側面の曲率半径
Ｒ３：第２レンズ物体側面の曲率半径
Ｒ４：第２レンズ像側面の曲率半径
である。
【発明の詳細な説明】
【技術分野】
【０００１】
本発明は、撮像レンズ、特に、高画素CCDやCMOSなどの固体撮像素子を使用した小型撮像装置、光センサー、携帯用モジュールカメラ、WEBカメラなどに好適な撮像レンズに関する。
【背景技術】
【０００２】
近年、CCDやCMOSなどの固体撮像素子を使用した各種撮像装置が広く普及している。これら撮像素子の小型化、高性能化にともない、撮像装置に使用される撮像レンズは、小型、軽量で、高性能な光学特性を有するものが求められている。
【０００３】
撮像レンズの小型化、軽量化に関し、従来、1枚構成のレンズ系や2枚構成のレンズ系の撮像レンズが提案されている。しかし、これらのレンズ系は、小型化、軽量化には有利であるが、像面湾曲などの収差の補正が困難で、良好な光学特性を望めないことは良く知られている。そのため、良好な高性能の光学特性を有する撮像レンズを得るには、３枚以上のレンズで構成されることが必要とされている。
【０００４】
しかし、3枚構成の撮像レンズ系であっても、高画素ＣＣＤ、例えば２００万画素以上の高画素ＣＣＤに使用した場合、３枚のレンズを全て非球面形状としても、周辺部の収差補正が不十分となることがある。そのため、３枚レンズより、諸収差の補正が容易で、良好な光学特性が得られる４枚のレンズで構成される撮像レンズに関する技術開発が進められており、種々の４枚レンズ構成の撮像レンズに関する提案がされている。
【０００５】
特許文献1には、物体側から順に、絞り、正のパワーを有する両凸形状の第１レンズ、負のパワーを有する両凹形状の第２レンズ、正のパワーを有する像側に凸面を向けた第３レンズ及び負のパワーを有する物体面に凸面を向けた第４レンズが配列された撮像レンズが提案されている。この方法によれば、撮像レンズの小型化を図るため、第１レンズおよび第２レンズのパワーを強く設計されている。しかし、第２レンズに高屈折率のレンズが使用されているため、他のレンズとのパワーのバランス配分が難しくなることがあり、撮像レンズ全体の焦点距離を短くすることや収差の補正が不十分となることがあった。
【０００６】
特許文献２には、物体側から順に、絞り、正のパワーを有する両凸形状の第１レンズ、負のパワーを有する両凹形状の第２レンズ、正のパワーを有する像側に凸面を向けた第３レンズ及び負のパワーを有する物体面に凸面を向けた第４レンズが配列された撮像レンズが提案されている。この方法によれば、撮像レンズの小型化を図るため、第１レンズおよび第２レンズのパワーを強く設計されている。しかし、第２レンズの屈折率が比較的小さいため、撮像レンズ全体のパワーの配分が難しくなることがあり、撮像レンズ全体の焦点距離を短くすることや収差の補正が不十分となることがあった。
【０００７】
特許文献３には、正のパワーを有する第１レンズ群と、負のパワーを有する第２レンズ群と、正又は負のパワーを有する第３レンズと、正又は負のパワーを有する第４レンズとを含む撮像レンズが開示されている。この方法によれば、第２レンズに高屈折率のレンズが使用されているため、他のレンズ、特に、第１レンズとのパワーバランスをとることが難しくなることがある。そのため、撮像レンズの小型化と良好な光学特性とを両立させた撮像レンズを得ることが困難という課題がある。又、実施例では、レンズ群間に光の一部を制限する薄膜フィルターあるいは光学フィルターが組込まれた撮像レンズを開示している。これらは、撮像レンズの部品点数が多くなり、生産工数も増加するという課題もある。
【０００８】
【特許文献１】特開２００２−３６５５２９号公報
【特許文献２】特開２００２−３６５５３１号公報
【特許文献３】特開２００７−１７９８４号公報
【発明の開示】
【発明が解決しようとする課題】
【０００９】
本発明の目的は、諸収差が好適に補正された良好な光学特性を有する、小型化された、４枚のレンズで構成される撮像レンズの提供である。
【課題を解決するための手段】
【００１０】
上記目的を達成するため、撮像レンズのサイズや光学特性に対し、第１レンズと第２レンズのパワーバランス、第１レンズ、第３レンズ、第４レンズの焦点距離と中心厚みの比を鋭意検討した結果、従来技術の課題が改善された撮像レンズを得ることを見出し、本発明に到達した。
【００１１】
請求項１の発明の撮像レンズは、物体側から順に、絞り、両凸形状で正のパワーを有する第1レンズ、物体側に凸面を向けた負のパワーを有するメニスカス形状の第２レンズ、像側へ凸面を向けた正のパワーを有するメニスカス形状の第３レンズ、物体側へ凸面を向けた負のパワーを有するメニスカス形状の第４レンズを配置し、下記条件式を満足することを特徴とする撮像レンズ。
−０．９５＜ｆ１／ｆ２≦−０．６５                （１）
４．００＜ｆ１／ｄ１＜１０．００                  （２）
２．８０＜ｆ３／ｄ５＜５．２０                    （３）
−１０．００＜ｆ４／ｄ７≦−５．９８              （４）
−０．４５＜Ｒ１／Ｒ２＜−０．０５                （５）
２．５０＜Ｒ３／Ｒ４＜１０．００                  （６）
ただし、
ｆ１：第１レンズの焦点距離、
ｆ２：第２レンズの焦点距離、
ｆ３：第３レンズの焦点距離、
ｆ４：第４レンズの焦点距離、
ｄ１：第１レンズの中心厚、
ｄ５：第３レンズの中心厚、
ｄ７：第４レンズの中心厚、
Ｒ１：第１レンズ物体側面の曲率半径
Ｒ２：第１レンズ像側面の曲率半径
Ｒ３：第２レンズ物体側面の曲率半径
Ｒ４：第２レンズ像側面の曲率半径
である。
【発明の効果】
【００１３】
請求項１の発明の撮像レンズは、絞りを第１レンズより物体側に配置することにより、入射瞳位置を像面から遠い位置にとることができ、像面に対する入射角が好適化されている。また、撮像レンズを構成する４枚のレンズを特定面形状として、レンズのパワー配列を正、負、正、負とするとともに、第１レンズと第２レンズのパワー配分と第１レンズ、第３レンズ、第４レンズのそれぞれの焦点距離とレンズの中心厚との関係を特定範囲とすることにより、諸収差が好適に補正され、良好な光学特性を有すると共に、小型化された撮像レンズを得ることができる。なお、本発明記載のパワーは、焦点距離の逆数で表される値のことである。
【００１４】
更に、請求項１の発明において、第１レンズおよび第２レンズの形状を特定範囲とすることにより、両レンズのパワーバランスを好適化している。これにより、撮像レンズの小型化がより有利となる。
【００１５】
本発明で得られる撮像レンズは、搭載される携帯電話など各種デジタル入力機器の高機能化、高性能化、小型化に寄与する。
【発明を実施するための最良の形態】
【００１６】
本発明に係る撮像レンズの一実施形態について、図面を参照しつつ説明する。本発明の一実施形態に係る撮像レンズの構成図を図1に示す。この撮像レンズLAは、物体（図示せず）側から像面に向かって順に、絞りＳ１、第１レンズＬ１、第２レンズＬ２、第３レンズＬ３、第４レンズＬ４が配列された４枚構成のレンズ系である。第４レンズＬ４と像面との間に、ガラス平板ＧＦが配置される。このガラス平板ＧＦとしては、カバーガラス、又は、ＩＲカットフィルタ、又は、ローパスフィルタなどの機能を有するものを使用することができる。
【００１７】
絞りＳ１を第１レンズＬ１よりも物体側に配置することにより、入射瞳位置を像面から遠い位置にとることができる。これにより、高いテレセントリック性を確保することが可能となり、像面に対する入射角を好適にすることができる。
【００１８】
第1レンズＬ１は、両凸形状で正のパワーを有するレンズであり、第２レンズＬ２は物体側へ凸面を向けたメニスカス形状の負のパワーを有するレンズであり、第３レンズＬ３は像側へ凸面を向けたメニスカス形状の正のパワーを有するレンズであり、第４レンズＬ４は物体側へ凸面を向けたメニスカス形状の負のパワーを有するレンズである。撮像レンズＬＡの小型化を図るため、レンズのパワー配列を正、負、正、負の、いわゆる、テレフォトタイプとして、第１レンズＬ１および第２レンズＬ２に大きいパワーを配置している。これにより、撮像レンズＬＡの小型化を図るとともに、主に、軸上の諸収差を補正しており、軸外の収差は、主に、第３レンズＬ３、第４レンズＬ４により補正している。これら４枚のレンズの表面は、諸収差をより好適に補正するため、全面を非球面形状とすることが好ましい。
【００１９】
撮像レンズＬＡの小型化や色収差などの収差を補正に対する第１レンズＬ１および第２レンズＬ２の役割は重要である。撮像レンズＬＡの小型化を図る場合、第１レンズＬ１の正パワーを大きくすることは、主点が物体側となるので、撮像レンズＬＡの小型化には有利である。しかし、第１レンズＬ１のパワーが大きくなりすぎると、高次収差が発生しやすくなり、又、他のレンズとのパワーバランスをとることも難しくなり、収差の補正が困難となる。本発明では、第１レンズＬ１を正パワーの両凸レンズとする。両凸レンズは両面共に収斂作用をもつため、第１レンズＬ１に比較的大きな正のパワーを与えても、高次収差の発生を抑えることが可能であり、かつ、光学系の主点を物体側に位置させることも可能であるため、撮像レンズの小型化を図ることが容易となっている。
【００２０】
第２レンズＬ２は、第１レンズＬ１の正のパワーを制御し、かつ、第３及び第４のレンズへのパワー負荷を少なくさせるように設計される。第２レンズＬ２は、第１レンズＬ１の大きな正のパワーとのバランスを考慮して、物体側へ凸面を向けた負のパワーを有するメニスカス形状とする。第２レンズＬ２を、物体側へ凸面を向け、一方の面に収斂作用、他方の面に発散作用を有するメニスカス形状とすることにより、第１レンズＬ１とのパワーバランスの好適化が容易となり、収差の補正を容易としている。
【００２１】
第１レンズＬ１、第２レンズＬ２は前記の形状、パワー配列であって、第１レンズＬ１の焦点距離ｆ１と第２レンズＬ２の焦点距離ｆ２との関係は条件式（１）の範囲にあることが好ましい。第１レンズＬ１の焦点距離ｆ１と中心厚ｄ１との関係は条件式（２）の範囲にあることが好ましい。これらの条件式は、第１レンズＬ１と第２レンズＬ２のパワーのバランスを好適化して、軸上色収差を含む軸上収差を良好に補正すると共に、撮像レンズＬＡの小型化に関係する。条件式（１）あるいは（２）の範囲外では、撮像レンズＬＡの小型化が難しくなることがある。
−０．９５＜ｆ１／ｆ２≦−０．６５                （１）
４．００＜ｆ１／ｄ１＜１０．００                  （２）
ただし、
ｆ１：第１レンズの焦点距離、
ｆ２：第２レンズの焦点距離、
ｄ1：第1レンズの中心厚、
である。
【００２２】
第３レンズＬ３は、第１レンズＬ１と共に、本発明の撮像レンズＬＡの正のパワーを負担している。小型化のため、第１レンズＬ１は強い正のパワーで設計される。第１レンズＬ１のパワーが強すぎると、諸収差の補正が難しくなるため、第３レンズＬ３は第１レンズＬ１のパワーが過剰となることを制御するように設計される。又、第３レンズＬ３では、第１レンズＬ１及び第２レンズＬ２での補正が難しい軸外の収差補正を行う必要がある。そのため、第３レンズＬ３には像側に凸面を向けたメニスカス形状の比較的弱い正のパワーを有するレンズとされる。第３レンズＬ３はこの形状をとることで、第１レンズＬ１のパワーを好適化すると共に、第４レンズＬ４との組合せにより、主に軸外の収差補正を可能としている。
【００２３】
第３レンズＬ３の焦点距離ｆ３と中心厚ｄ５の関係は、条件式（３）の範囲にあることが好ましい。この範囲を満足することで、撮像レンズＬＡの小型化で、軸外の色収差を含む諸収差を補正することができる。
２．８０＜ｆ３／ｄ５＜５．２０                  （３）
ただし、
ｆ３：第３レンズＬ３の焦点距離、
ｄ５：第３レンズＬ３の中心厚
である。
【００２４】
第４レンズＬ４は、第２レンズＬ２と共に、本発明の撮像レンズＬＡの負のパワーを負担している。第１レンズＬ１の正のパワーが比較的強いため、第２レンズＬ２のパワーも必然的に高くなる傾向にある。第２レンズＬ２のパワーが強くなりすぎると、撮像レンズＬＡ全体のパワーバランスをとることが難しくなり、良好な撮像レンズＬＡを得ることが困難となる。そのため、第４レンズＬ４は、物体側へ凸面を向けたメニスカス形状の比較的弱い負のパワーを有するレンズとして、第２レンズＬ２とのパワーバランスを好適化している。
【００２５】
第４レンズＬ４の焦点距離ｆ４と中心厚ｄ７の関係は、条件式（４）の範囲にあることが好ましい。この範囲を満足することで、撮像レンズＬＡを小型化で、軸外の色収差を含む諸収差を補正と、像面に対する入射角を好適にすることができる。
−１０．００＜ｆ４／ｄ７≦−５．９８            （４）
ただし、
ｆ４：第４レンズの焦点距離、
ｄ７：第４レンズの中心厚、
である。
【００２６】
第１レンズＬ１の物体側面と像側面の曲率半径の関係は、条件式（５）の範囲にあることが好ましい。条件式（５）の範囲外では、撮像レンズＬＡの小型化に伴う高次収差の補正が困難となることがある。  −０．４５＜Ｒ１／Ｒ２＜−０．０５          （５）
Ｒ１：第１レンズ物体側面の曲率半径
Ｒ２：第１レンズ像側面の曲率半径
である。
【００２７】
第２レンズＬ２の物体側面と像側面の曲率半径の関係は、条件式（６）の範囲にあることが好ましい。条件式（６）の範囲外では、撮像レンズＬＡの小型化に伴い、第２レンズＬ２のパワーを制御することが困難となり、軸上色収差の補正が不十分となることがある。
２．５０＜Ｒ３／Ｒ４＜１０．００              （６）
ただし、
Ｒ３：第２レンズ物体側面の曲率半径
Ｒ４：第２レンズ像側面の曲率半径
である。
【００２８】
撮像レンズＬＡを構成する４枚のレンズが、それぞれ前記の構成および条件式を満たすことにより、小型で、諸収差が補正された良好な光学特性を有する撮像レンズを得ることが可能となる。
【００２９】
第1レンズL1〜第４レンズL４はガラスあるいは樹脂のいずれかの材料で形成される。レンズ材料としてガラスを使用する場合、ガラス転移温度が、４００℃以下のガラス材料を使用することが好ましい。これにより、金型の耐久性を向上させることが可能となる。
【００３０】
樹脂材料は複雑な面形状のレンズを効率よく製造することが可能であり、生産性の面から、ガラス材料より好ましい材料である。レンズ材料として樹脂材料が使用される場合、ＡＳＴＭ  Ｄ５４２法に準じて測定されたｄ線の屈折率が１．５００〜１．６５０の範囲にありかつ、波長４５０〜６００ｎｍの範囲での光線透過率が８０％以上、より好ましくは８５％以上の樹脂材料であれば、熱可塑性樹脂であっても、熱硬化性樹脂であっても使用可能である。第１レンズＬ１、第３レンズＬ３、第４レンズＬ４は同一の樹脂材料であっても良く、異なる材料であっても良い。第２レンズＬ２は、通常、第１レンズＬ１と異なる樹脂材料が使用される。樹脂材料によるレンズの製造は、射出成形、圧縮成形、注型成形、トランスファー成形など公知の成形加工法により、行うことができる。以下、第１レンズＬ１〜第４レンズＬ４に使用される樹脂の具体例を示す。
【００３１】
第1レンズＬ１には、市販の透明性樹脂の使用が可能で、ＡＳＴＭ  Ｄ５４２法に準じて測定されたｄ線の屈折率ｎ１が１．５００〜１．６００、アッベ数υ１が５０．０〜６０．０である透明性樹脂が使用される。好ましく使用される透明性樹脂の具体例としては、シクロ環や、その他の環状構造を有する非結晶性のポリオレフィン系樹脂、ポリカーボネート系樹脂やエポキシ系樹脂が挙げられる。
【００３２】
第２レンズＬ２には、市販の透明性樹脂の使用が可能で、ＡＳＴＭ  Ｄ５４２法に準じて測定されたｄ線の屈折率ｎ２が、１．５８０〜１．６５０、アッベ数υ２が、２０．０〜３５．０の透明性樹脂が好ましく使用される。好ましく使用される透明性樹脂の具体例としては、9，9−ビス（４−ヒドロキシンフェニル）フルオレンなどの構造を含むポリエステル系樹脂、特殊ポリカーボネート（ＳＰシリーズ、テイジン製）やエポキシ系樹脂、熱硬化系樹脂などが挙げられる。
【００３３】
第３レンズＬ３には、市販の透明性樹脂の使用が可能で、ＡＳＴＭ  Ｄ５４２法に準じて測定されたｄ線の屈折率ｎ３が１．５００〜１．６５０、アッベ数υ３が５０．０〜６０．０である透明性樹脂が使用される。好ましく使用される透明性樹脂の具体例としては、シクロ環や、その他の環状構造を有する非結晶性のポリオレフィン系樹脂、ポリスチレン系樹脂、ポリカーボネート系樹脂やエポキシ系樹脂が挙げられる。
【００３４】
第４レンズＬ４には、市販の透明性樹脂の使用が可能で、ＡＳＴＭ  Ｄ５４２法に準じて測定されたｄ線の屈折率ｎ４が、１．５００〜１．６５０、アッベ数υ４が２０．０〜６０．０の透明性樹脂が好ましく使用される。好ましく使用される樹脂の具体例としては、シクロ環や、その他の環状構造を有する非結晶性のポリオレフィン系樹脂、ポリスチレン系樹脂、ポリカーボネート系樹脂、9，9−ビス（４−ヒドロキシンフェニル）フルオレンなどの構造を含むポリエステル系樹脂、特殊ポリカーボネート（ＳＰシリーズ、テイジン製）エポキシ系樹脂、シリコン系樹脂などが挙げられる。
【００３５】
なお、樹脂材料は温度変化により屈折率が変動することは良く知られている。この変動を抑えるため、平均粒子径１００ｎｍ以下、より好ましくは５０ｎｍ以下のシリカ、酸化ニオブ、酸化チタン、酸化アルミなどの微粒子が分散混合された前記の透明性を有する樹脂材料をレンズ材料として使用することができる。
【００３６】
樹脂で形成される第1レンズL1〜第４レンズL４はレンズの外周部にコバ及びリブを設けることができる。コバ及びリブの形状は、レンズの性能を損なわなければ、特に制約は無い。レンズの成形加工性の面から、コバの厚さはレンズ外周部の厚さの７０〜１３０％の範囲にあることが好ましい。レンズ外周部にコバを設けた場合、コバ部に光が入射すると、ゴーストやフレアの原因となることがある。その場合は、必要に応じて、レンズ間に入射光を制限する射光マスクを設けることができる。
【００３７】
撮像レンズLAは、撮像モジュールなどに利用される前に、第1レンズL1〜第４レンズL４のそれぞれのレンズの物体側及び像面側のレンズ表面に、反射防止膜、ＩＲカット膜や表面硬化など公知の処理を施してもよい。本発明の撮像レンズLAを使用した撮像モジュールは、携帯用モジュールカメラ、WEBカメラ、パソコン、デジタルカメラ、自動車や各種産業機器の光センサー、モニターなどに使用される。
【実施例】
【００３８】
以下、本発明の撮像レンズLAについて、実施例および比較例を用いて説明する。各実施例、比較例に記載されている記号は以下のことを示す。なお、距離、半径及び中心厚の単位はmmである。
ｆ      ：撮像レンズＬＡ全体の焦点距離
ｆ１    ：第１レンズＬ１の焦点距離
ｆ２    ：第２レンズＬ２の焦点距離
ｆ３    ：第３レンズＬ３の焦点距離
ｆ４    ：第４レンズＬ４の焦点距離
Ｆｎｏ  ：Ｆナンバー
Ｓ１    ：絞り
Ｒ      ：光学面の曲率半径、レンズの場合は中心曲率半径
Ｒ１    ：第１レンズＬ１の物体側面の曲率半径
Ｒ２    ：第１レンズＬ１の像側面の曲率半径
Ｒ３    ：第２レンズＬ２の物体側面の曲率半径
Ｒ４    ：第２レンズＬ２の像側面の曲率半径
Ｒ５    ：第３レンズＬ３の物体側面の曲率半径
Ｒ６    ：第３レンズＬ３の像側面の曲率半径
Ｒ７    ：第４レンズＬ４の物体側面の曲率半径
Ｒ８    ：第４レンズＬ４の像側面の曲率半径
Ｒ９    ：ガラス平板ＧＬの物体側面の曲率半径
Ｒ１０  ：ガラス平板ＧＬの像側面の曲率半径
ｄ      ：レンズの厚み又はレンズ間距離
ｄ１    ：第１レンズＬ１の中心厚
ｄ２    ：第１レンズＬ１の像面側と第2レンズL2の物体側面との間の距離
ｄ３    ：第２レンズＬ２の中心厚
ｄ４    ：第２レンズＬ２の像面側と第3レンズL3の物体側面との間の距離
ｄ５    ：第３レンズＬ３の中心厚
ｄ６    ：第３レンズＬ３の像面側と第４レンズの物体側面との間の距離
ｄ７    ：第４レンズＬ４の中心厚
ｄ８    ：第４レンズＬ４の像面側とガラス平板GFの物体側面との間の距離
ｄ９    ：ガラス平板GFの中心厚
ｎｄ    ：ｄ線の屈折率
ｎ１    ：第１レンズＬ１の屈折率
ｎ２    ：第２レンズＬ２の屈折率
ｎ３    ：第３レンズＬ３の屈折率
ｎ４    ：第４レンズＬ４の屈折率
νｄ    ：ｄ線でのアッベ数
ν１    ：第1レンズＬ１のアッベ数
ν２    ：第２レンズＬ２のアッベ数
ν３    ：第３レンズＬ３のアッベ数
ν４    ：第４レンズＬ４のアッベ数
ν５    ：ガラス平板GFのアッベ数
【００３９】
撮像レンズLAの第1レンズL1〜第４レンズL４のそれぞれのレンズ面の非球面形状は、yを光の進行方向を正とした光軸に、ｘを光軸と直交する方向とした軸として、下記の非球面多項式で表される。
【００４０】
ｙ＝（ｘ２／Ｒ）／［１＋｛１−（ｋ＋１）（ｘ／Ｒ２）｝１／２］
＋Ａ４ｘ４＋Ａ６ｘ６＋Ａ８ｘ８＋Ａ１０ｘ１０＋Ａ１２ｘ１２      （７）
【００４１】
ただし、Ｒは光軸上の曲率半径、ｋは円錐係数、Ａ４、Ａ６、Ａ８、Ａ１０、Ａ１２は非球面係数である。
【００４２】
各レンズ面の非球面は、便宜上、式（７）で表される非球面を使用している。しかしながら、特に、この式（７）の非球面多項式に限定するものではない。
【００４３】
（実施例1）
図２は、実施例１の撮像レンズＬＡの配置を示す構成図である。実施例1の撮像レンズＬＡを構成する第1レンズＬ１〜第４レンズＬ４のそれぞれの物体側及び像面側の曲率半径ｒ、レンズ中心厚又はレンズ間の距離ｄ、屈折率ｎｄ、アッベ数νｄを表１に、円錐係数ｋ、非球面係数を表２に示す。
【００４４】
【表１】
0004361120.tif 000002
【００４５】
【表２】
0004361120.tif 000003
【００４６】
実施例１の条件では、表９に示すように、条件式（１）〜（６）を満足している。
【００４７】
実施例１の撮像レンズＬＡの球面収差(軸上色収差)を図３に、倍率色収差を図４に、非点収差及び歪曲収差を図５に示す。以上の結果より、実施例1の撮像レンズＬＡは、４枚レンズ構成であるが、撮像レンズＬＡ全体の焦点距離ｆが短く、小型化されており、良好な光学特性を有していることがわかる。なお、図３〜図５の収差図は、４８６ｎｍ、５８８ｎｍ、６５６ｎｍの3波長に対する収差結果を示しており、各図では左から順に、波長４８６ｎｍ、波長５８８ｎｍ、波長６５６ｎｍにおける収差結果である。又、非点収差のＳはサジタル像面にたいする収差、Ｔはタンジェンシャル像面に対する収差である。収差図の測定波長などは実施例２〜４においても、同様である。
【００４８】
（実施例２）
図６は、実施例２の撮像レンズＬＡの配置を示す構成図である。実施例２の撮像レンズＬＡを構成する第1レンズＬ１〜第４レンズＬ４のそれぞれの物体側及び像面側の曲率半径ｒ、レンズ中心厚又はレンズ間の距離ｄ、屈折率ｎｄ、アッベ数νｄを表３に、円錐係数ｋ、非球面係数を表４に示す。
【００４９】
【表３】
0004361120.tif 000004
【００５０】
【表４】
0004361120.tif 000005
【００５１】
実施例２の条件では、表９に示すように、条件式（１）〜（６）を満足している。
【００５２】
実施例２の撮像レンズＬＡの球面収差(軸上色収差)を図７に、倍率色収差を図８に、非点収差及び歪曲収差を図９に示す。以上の結果より、実施例２の撮像レンズＬＡは、４枚レンズ構成であるが、撮像レンズＬＡ全体の焦点距離ｆが短く、小型化されており、良好な光学特性を有していることがわかる。
【００５３】
（実施例３）
図１０は、実施例３の撮像レンズＬＡの配置を示す構成図である。実施例３の撮像レンズＬＡを構成する第1レンズＬ１〜第４レンズＬ４のそれぞれの物体側及び像面側の曲率半径ｒ、レンズ中心厚又はレンズ間の距離ｄ、屈折率ｎｄ、アッベ数νｄを表５に、円錐係数ｋ、非球面係数を表６に示す。
【００５４】
【表５】
0004361120.tif 000006
【００５５】
【表６】
0004361120.tif 000007
【００５６】
実施例３の条件では、表９に示すように、条件式（１）〜（６）を満足している。
【００５７】
実施例３の撮像レンズＬＡの球面収差(軸上色収差)を図１１に、倍率色収差を図１２に、非点収差及び歪曲収差を図１３に示す。以上の結果より、実施例３の撮像レンズＬＡは、４枚レンズ構成であるが、撮像レンズＬＡ全体の焦点距離ｆが短く、小型化されており、良好な光学特性を有していることがわかる。
【００５８】
（実施例４）
図１４は、実施例４の撮像レンズＬＡの配置を示す構成図である。実施例４の撮像レンズＬＡを構成する第1レンズＬ１〜第４レンズＬ４のそれぞれの物体側及び像面側の曲率半径ｒ、レンズ中心厚又はレンズ間の距離ｄ、屈折率ｎｄ、アッベ数νｄを表７に、円錐係数ｋ、非球面係数を表８に示す。
【００５９】
【表７】
0004361120.tif 000008
【００６０】
【表８】
0004361120.tif 000009
【００６１】
実施例４の条件では、表９に示すように、条件式（１）〜（６）を満足している。
【００６２】
実施例４の撮像レンズＬＡの球面収差(軸上色収差)を図１５に、倍率色収差を図１６に、非点収差及び歪曲収差を図１７に示す。以上の結果より、実施例４の撮像レンズＬＡは、４枚レンズ構成であるが、撮像レンズＬＡ全体の焦点距離ｆが短く、小型化されており、良好な光学特性を有していることがわかる。
【００６３】
表９に各数値実施例の諸値及び条件式（１）〜（６）で規定したパラメータに対応する値をしめす。尚、表９に示す諸値単位は、ｆ（ｍｍ）、ｆ１（ｍｍ）、ｆ２（ｍｍ）、ｆ３（ｍｍ）、ｆ４（ｍｍ）である。
【００６４】
【表９】
0004361120.tif 000010
【図面の簡単な説明】
【００６５】
【図１】本発明の―実施形態に係る撮像レンズＬＡの構成を示す図。
【図２】上記撮像レンズＬＡの具体的実施例１の構成を示す図。
【図３】実施例1の撮像レンズＬＡの球面収差(軸上色収差)図。
【図４】実施例1の撮像レンズＬＡの倍率色収差図。
【図５】実施例1の撮像レンズＬＡの非点収差図及び歪曲収差図。
【図６】上記撮像レンズＬＡの具体的実施例２の構成を示す図。
【図７】実施例２の撮像レンズＬＡの球面収差(軸上色収差)図。
【図８】実施例２の撮像レンズＬＡの倍率色収差図。
【図９】実施例２の撮像レンズＬＡの非点収差図及び歪曲収差図。
【図１０】上記撮像レンズＬＡの具体的実施例３の構成を示す図。
【図１１】実施例３の撮像レンズＬＡの球面収差(軸上色収差)図。
【図１２】実施例３の撮像レンズＬＡの倍率色収差図。
【図１３】実施例３の撮像レンズＬＡの非点収差図及び歪曲収差図。
【図１４】上記撮像レンズＬＡの具体的実施例４の構成を示す図。
【図１５】実施例４の撮像レンズＬＡの球面収差(軸上色収差)図。
【図１６】実施例４の撮像レンズＬＡの倍率色収差図。
【図１７】実施例４の撮像レンズＬＡの非点収差図及び歪曲収差図。
【符号の説明】
【００６６】
ＬＡ    ：撮像レンズ
S１     ：絞り
Ｌ１    ：第１レンズ
Ｌ２    ：第2レンズ
Ｌ３    ：第3レンズ
Ｌ４    ：第４レンズ
ＧＦ    ：ガラス平板
Ｒ１   ：第１レンズＬ１の物体側面の曲率半径
Ｒ２   ：第１レンズＬ１の像側面の曲率半径
Ｒ３   ：第２レンズＬ２の物体側面の曲率半径
Ｒ４   ：第２レンズＬ２の像側面の曲率半径
Ｒ５   ：第３レンズＬ３の物体側面の曲率半径
Ｒ６   ：第３レンズＬ３の像側面の曲率半径
Ｒ７   ：第４レンズＬ４の物体側面の曲率半径
Ｒ８   ：第４レンズＬ４の像側面の曲率半径
Ｒ９   ：ガラス平板ＧＦの物体側面の曲率半径
Ｒ１０  ：ガラス平板ＧＦの像側面の曲率半径
ｄ１      ：第１レンズＬ１の中心厚
ｄ２      ：第１レンズＬ１の像側面と第2レンズＬ２の物体側面との間の距離
ｄ３      ：第２レンズＬ２の中心厚
ｄ４      ：第２レンズＬ２の像側面と第3レンズＬ３の物体側面との間の距離
ｄ５      ：第３レンズＬ３の中心厚
ｄ６      ：第３レンズＬ３の像側面と第４レンズＬ４の物体側面との間の距離
ｄ７      ：第４レンズＬ４の中心厚
ｄ８      ：第４レンズＬ４の像側面とガラス平板ＧＦの物体側面との間の距離
ｄ９      ：ガラス平板ＧＦの厚み
ｄ１０    ：ガラス平板ＧＦの像側面と像面との間の距離
【図１】
0004361120.tif 000011
【図２】
0004361120.tif 000012
【図３】
0004361120.tif 000013
【図４】
0004361120.tif 000014
【図５】
0004361120.tif 000015
【図６】
0004361120.tif 000016
【図７】
0004361120.tif 000017
【図８】
0004361120.tif 000018
【図９】
0004361120.tif 000019
【図１０】
0004361120.tif 000020
【図１１】
0004361120.tif 000021
【図１２】
0004361120.tif 000022
【図１３】
0004361120.tif 000023
【図１４】
0004361120.tif 000024
【図１５】
0004361120.tif 000025
【図１６】
0004361120.tif 000026
【図１７】
0004361120.tif 000027